(57)【要約】【課題】小切手の発行に際し、過去に発行した小切手を管理する等の振出人控えの本来の機能を備えつつ小切手の発行に関する有益な情報を提供可能な紙片を発行できるようにする。【解決手段】ホストコンピューター１０は、小切手を処理する小切手処理装置１１に接続され、小切手処理装置１１の表面側ＣＩＳ３８の読取結果に基づいて、小切手の表面の画像データを記憶する記録面画像データ記憶部６３と、表面側ＣＩＳ３８の読取結果に基づく小切手の表面の画像、及び、カードリーダー２２の読取結果に基づくカード情報に関連する情報が記録された紙片を紙片発行装置４７に発行させる紙片発行制御部６４と、を備える。【選択図】図４
2013037603.tif 000002
【特許請求の範囲】
【請求項１】
カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置に接続可能に構成され、
一の小切手の発行に際し、当該一の小切手に関連する前記カードの前記カード情報を前記カード読取部によって読み取らせ、当該一の小切手を前記搬送部により前記搬送路上で搬送させ、搬送される当該一の小切手の前記記録面に小切手情報を前記記録部によって記録させ、搬送される前記記録部により前記小切手情報が記録された前記記録面を前記光学読取部によって光学的に読み取らせる小切手処理部と、
前記光学読取部の読取結果に基づく当該一の小切手の前記記録面の画像、及び、前記カード読取部の読取結果に基づく前記カード情報に関連する情報が記録された前記紙片を前記紙片発行部に発行させる紙片発行制御部と、を備えることを特徴とする制御装置。
【請求項２】
前記小切手の発行は、振出人の口座から前記小切手の額面に対応する額の引き落としを伴って行われるものであり、
前記カードは、前記カード情報として前記振出人の口座を識別するための口座情報が記録されたものであり、
口座契約を結んだ各契約者の口座を管理する口座管理システムに接続され、
前記紙片発行制御部は、
前記カード読取部が読み取った前記口座情報に基づいて、前記口座管理システムにアクセスして前記カードに係る前記振出人の口座残高に係る情報を取得し、取得した前記口座残高に係る情報が記録された前記紙片を前記紙片発行部に発行させることを特徴とする請求項１に記載の制御装置。
【請求項３】
カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置に接続可能に構成され、
一の小切手の発行に際し、当該一の小切手に関連する前記カードの前記カード情報を前記カード読取部によって読み取らせ、当該一の小切手を前記搬送部により前記搬送路上で搬送させ、搬送される当該一の小切手の前記記録面に小切手情報を前記記録部によって記録させ、搬送される前記記録部により前記小切手情報が記録された前記記録面を前記光学読取部によって光学的に読み取らせる小切手処理部と、
前記光学読取部の読取結果に基づく当該一の小切手の前記記録面の画像データ、及び、前記カード読取部の読取結果に基づく前記カード情報に関連する情報を、外部の装置にからのアクセスに応じて閲覧可能な態様でＷｅｂサーバーに格納する表示情報格納部と、
当該一の小切手の前記記録面の画像データ、及び、前記カード情報に関連する情報に閲覧のためのアクセスを行うためのアクセス用コードを生成するアクセス用コード生成部と、
前記紙片発行部に、前記アクセス用コードが記録された前記紙片を発行させる紙片発行制御部と、
を備えることを特徴とする制御装置。
【請求項４】
前記小切手の発行は、振出人の口座から前記小切手の額面に対応する額の引き落としを伴って行われるものであり、
前記カードは、前記カード情報として前記振出人の口座を識別するための口座情報が記録されたものであり、
口座契約を結んだ各契約者の口座を管理する口座管理システムに接続され、
前記表示情報格納部は、
一の小切手の発行に際し、前記カード読取部が読み取った前記口座情報に基づいて、前記口座管理システムにアクセスして前記カードに係る前記振出人の口座残高に係る情報を取得し、取得した前記口座残高に係る情報を、当該一の小切手の前記記録面の画像データと共に前記Ｗｅｂサーバーに閲覧可能に格納することを特徴とする請求項３に記載の制御装置。
【請求項５】
前記Ｗｅｂサーバーは、
前記紙片に記録された前記アクセス用コードに基づいて前記外部の装置からアクセスがあった場合に、認証を行う認証部をさらに備えることを特徴とする請求項３又は４に記載の制御装置。
【請求項６】
カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置であって、
一の小切手の発行に際し、当該一の小切手に関連する前記カードの前記カード情報を前記カード読取部によって読み取り、当該一の小切手を前記搬送部により前記搬送路上で搬送し、搬送される当該一の小切手の前記記録面に小切手情報を前記記録部によって記録し、搬送される前記記録部により前記小切手情報が記録された前記記録面を前記光学読取部によって光学的に読み取る小切手処理部と、
前記光学読取部の読取結果に基づく当該一の小切手の前記記録面の画像、及び、前記カード読取部の読取結果に基づく前記カード情報に関連する情報が記録された前記紙片を前記紙片発行部によって発行する紙片発行制御部と、を備えることを特徴とする小切手処理装置。
【請求項７】
カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置であって、
一の小切手の発行に際し、当該一の小切手に関連する前記カードの前記カード情報を前記カード読取部によって読み取り、当該一の小切手を前記搬送部により前記搬送路上で搬送し、搬送される当該一の小切手の前記記録面に小切手情報を前記記録部によって記録し、搬送される前記記録部により前記小切手情報が記録された前記記録面を前記光学読取部によって光学的に読み取る小切手処理部と、
前記光学読取部の読取結果に基づく当該一の小切手の前記記録面の画像データ、及び、前記カード読取部の読取結果に基づく前記カード情報に関連する情報を、外部の装置にからのアクセスに応じて閲覧可能な態様でＷｅｂサーバーに格納する表示情報格納部と、
当該一の小切手の前記記録面の画像データ、及び、前記カード情報に関連する情報に閲覧のためのアクセスを行うためのアクセス用コードを生成するアクセス用コード生成部と、
前記紙片発行部により、前記アクセス用コードが記録された前記紙片を発行する紙片発行制御部と、
を備えることを特徴とする小切手処理装置。
【請求項８】
カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置に接続可能な制御装置の制御方法であって、
一の小切手の発行に際し、当該一の小切手に関連する前記カードの前記カード情報を前記カード読取部によって読み取らせ、当該一の小切手を前記搬送部により前記搬送路上で搬送させ、搬送される当該一の小切手の前記記録面に小切手情報を前記記録部によって記録させ、搬送される前記記録部により前記小切手情報が記録された前記記録面を前記光学読取部によって光学的に読み取らせ、
前記光学読取部の読取結果に基づく当該一の小切手の前記記録面の画像、及び、前記カード読取部の読取結果に基づく前記カード情報に関連する情報が記録された前記紙片を前記紙片発行部に発行させることを特徴とする制御装置の制御方法。
【請求項９】
カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置に接続可能な制御装置の制御方法であって、
一の小切手の発行に際し、当該一の小切手に関連する前記カードの前記カード情報を前記カード読取部によって読み取らせ、当該一の小切手を前記搬送部により前記搬送路上で搬送させ、搬送される当該一の小切手の前記記録面に小切手情報を前記記録部によって記録させ、搬送される前記記録部により前記小切手情報が記録された前記記録面を前記光学読取部によって光学的に読み取らせ、
前記光学読取部の読取結果に基づく当該一の小切手の前記記録面の画像データ、及び、前記カード読取部の読取結果に基づく前記カード情報に関連する情報を、外部の装置にからのアクセスに応じて閲覧可能な態様でＷｅｂサーバーに格納し、
当該一の小切手の前記記録面の画像データ、及び、前記カード情報に関連する情報に閲覧のためのアクセスを行うためのアクセス用コードを生成し、
前記紙片発行部に、前記アクセス用コードが記録された前記紙片を発行させることを特徴とする制御装置の制御方法。
【発明の詳細な説明】
【技術分野】
【０００１】
本発明は、小切手を処理する小切手処理装置に接続可能な制御装置、当該小切手処理装置、及び、当該制御装置の制御方法に関する。
【背景技術】
【０００２】
従来、小切手の表面に所定の情報を記録して、小切手を発行する小切手処理装置（小切手印字装置）が知られている（例えば、特許文献１参照）。
この種の小切手処理装置では、小切手を発行する際、振出人に渡す現物の小切手と共に、取引銀行等の金融機関が保管するための媒体であって小切手に記録された情報と同等の内容が記録された金融機関控え、及び、振出人が保管するための媒体であって小切手に記録された情報と同等の内容が記録された振出人控えを発行するのが一般的である。上記３つの媒体は、例えば、ドットインパクトプリンターを利用したカーボンコピーによる複写によって、また、人為的な手段で３つの媒体に個別に必要な情報を記録することによって、発行される。
【先行技術文献】
【特許文献】
【０００３】
【特許文献１】特開平６−１９１０９６号公報
【発明の概要】
【発明が解決しようとする課題】
【０００４】
ここで、振出人控えは、振出人が、過去に発行した小切手を管理するために、また、現物の小切手を紛失した場合に金融機関に対して再発行の資格があることを証明するために利用されるものであるが、このような振出人控えの本来の機能を維持したまま、振出人控えが振出人に渡される媒体であるという特性を活用して、当該振出人控えを利用して小切手の発行に関する有益な情報を振出人に提供することができれば、顧客満足度の向上につながる。
本発明は、上述した事情に鑑みてなされたものであり、小切手の発行に際し、過去に発行した小切手を管理する等の振出人控えの本来の機能を備えつつ小切手の発行に関する有益な情報を提供可能な紙片を発行できるようにすることを目的とする。
【課題を解決するための手段】
【０００５】
上記目的を達成するために、本発明は、制御装置であって、カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置に接続可能に構成され、一の小切手の発行に際し、当該一の小切手に関連する前記カードの前記カード情報を前記カード読取部によって読み取らせ、当該一の小切手を前記搬送部により前記搬送路上で搬送させ、搬送される当該一の小切手の前記記録面に小切手情報を前記記録部によって記録させ、搬送される前記記録部により前記小切手情報が記録された前記記録面を前記光学読取部によって光学的に読み取らせる小切手処理部と、前記光学読取部の読取結果に基づく当該一の小切手の前記記録面の画像、及び、前記カード読取部の読取結果に基づく前記カード情報に関連する情報が記録された前記紙片を前記紙片発行部に発行させる紙片発行制御部と、を備えることを特徴とする。
この構成によれば、一の小切手の発行に際し、光学読取部の読取結果に基づく当該一の小切手の記録面の画像、及び、カード読取部の読取結果に基づくカード情報に関連する情報が記録された紙片が発行されることとなる。そして、紙片には、発行した小切手の記録面の画像が記録されているため、当該紙片は、振出人に渡されていた従来の振出人控えと同様、過去に発行した小切手を管理するために、また、現物の小切手を紛失した場合に金融機関に対して再発行の資格があることを証明するために利用できる。さらに、紙片には、カード情報に関連する情報、例えば、カードが振出人のキャッシュカードである場合には振出人の口座の口座番号等が記録されるが、このようなカード情報に関連する情報が紙片に記録されることにより、振出人は、カード情報と、実際に発行された小切手の情報（小切手の表面の画像）とを対応付けて管理できることとなり、非常に便利である。すなわち、上記構成のように紙片にカード情報に関連する情報を記録することにより、紙片を介して、振出人に対して、有益な情報を提供可能である。
【０００６】
また、上記発明の制御装置であって、本発明は、前記小切手の発行は、振出人の口座から前記小切手の額面に対応する額の引き落としを伴って行われるものであり、前記カードは、前記カード情報として前記振出人の口座を識別するための口座情報が記録されたものであり、口座契約を結んだ各契約者の口座を管理する口座管理システムに接続され、前記紙片発行制御部は、前記カード読取部が読み取った前記口座情報に基づいて、前記口座管理システムにアクセスして前記カードに係る前記振出人の口座残高に係る情報を取得し、取得した前記口座残高に係る情報が記録された前記紙片を前記紙片発行部に発行させることを特徴とする。
ここで、上記構成にように、振出人の口座からの引き落としを伴って小切手の発行が行われる場合、小切手の発行による口座残高の変動に関する情報は、振出人にとって非常に有益な情報である。
これを踏まえ、上記構成によれば、一の小切手の発行に際して、当該一の小切手の記録面の画像と、振出人の口座残高に係る情報とが記録された紙片が発行されるため、振出人は、紙片を介して、非常に有益な情報を取得可能である。
【０００７】
また、上記目的を達成するために、本発明は、制御装置であって、カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置に接続可能に構成され、一の小切手の発行に際し、当該一の小切手に関連する前記カードの前記カード情報を前記カード読取部によって読み取らせ、当該一の小切手を前記搬送部により前記搬送路上で搬送させ、搬送される当該一の小切手の前記記録面に小切手情報を前記記録部によって記録させ、搬送される前記記録部により前記小切手情報が記録された前記記録面を前記光学読取部によって光学的に読み取らせる小切手処理部と、前記光学読取部の読取結果に基づく当該一の小切手の前記記録面の画像データ、及び、前記カード読取部の読取結果に基づく前記カード情報に関連する情報を、外部の装置にからのアクセスに応じて閲覧可能な態様でＷｅｂサーバーに格納する表示情報格納部と、当該一の小切手の前記記録面の画像データ、及び、前記カード情報に関連する情報に閲覧のためのアクセスを行うためのアクセス用コードを生成するアクセス用コード生成部と、前記紙片発行部に、前記アクセス用コードが記録された前記紙片を発行させる紙片発行制御部と、を備えることを特徴とする。
この構成によれば、一の小切手の発行に際し、当該一の小切手の画像データ、及び、カード情報に関連する情報がＷｅｂサーバーに閲覧可能に格納された上で、これら情報に閲覧に係るアクセスするためのアクセス用コードが記録された紙片が発行される。このため、振出人は、アクセス用コードに基づいて、Ｗｅｂサーバーにアクセスすることにより、当該一の小切手の画像データに係る画像、及び、カード情報に関連する情報を、任意のタイミングで閲覧可能である。これにより、過去に発行した小切手を管理する等の振出人控えの本来の機能を備えつつ小切手の発行に関する有益な情報を提供可能な紙片を発行できるほか、以下のような効果を奏することができる。すなわち、振出人に渡される紙片自体には、アクセス用コードが記録される一方、個人情報や、機密情報が記録されない。これにより、第三者の盗み見等に起因した個人情報や、機密情報の漏洩を防止できる。
【０００８】
また、上記発明の制御装置であって、本発明は、前記小切手の発行は、振出人の口座から前記小切手の額面に対応する額の引き落としを伴って行われるものであり、前記カードは、前記カード情報として前記振出人の口座を識別するための口座情報が記録されたものであり、口座契約を結んだ各契約者の口座を管理する口座管理システムに接続され、前記表示情報格納部は、一の小切手の発行に際し、前記カード読取部が読み取った前記口座情報に基づいて、前記口座管理システムにアクセスして前記カードに係る前記振出人の口座残高に係る情報を取得し、取得した前記口座残高に係る情報を、当該一の小切手の前記記録面の画像データと共に前記Ｗｅｂサーバーに閲覧可能に格納することを特徴とする。
この構成によれば、第三者の盗み見等に起因した情報の漏洩を適確に防止しつつ、紙片を介して、口座残高に係る情報という非常に有益な情報を振出人に提供可能である。
【０００９】
また、上記発明の制御装置であって、本発明は、前記Ｗｅｂサーバーは、前記紙片に記録された前記アクセス用コードに基づいて前記外部の装置からアクセスがあった場合に、認証を行う認証部をさらに備えることを特徴とする。
この構成によれば、紙片を紛失した場合であっても、当該紛失を介して個人情報や、機密情報が漏洩することを適確に防止可能である。
【００１０】
また、上記目的を達成するために、本発明は、カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置であって、一の小切手の発行に際し、当該一の小切手に関連する前記カードの前記カード情報を前記カード読取部によって読み取り、当該一の小切手を前記搬送部により前記搬送路上で搬送し、搬送される当該一の小切手の前記記録面に小切手情報を前記記録部によって記録し、搬送される前記記録部により前記小切手情報が記録された前記記録面を前記光学読取部によって光学的に読み取る小切手処理部と、前記光学読取部の読取結果に基づく当該一の小切手の前記記録面の画像、及び、前記カード読取部の読取結果に基づく前記カード情報に関連する情報が記録された前記紙片を前記紙片発行部によって発行する紙片発行制御部と、を備えることを特徴とする。
この構成によれば、一の小切手の発行に際し、光学読取部の読取結果に基づく当該一の小切手の記録面の画像、及び、カード読取部の読取結果に基づくカード情報に関連する情報が記録された紙片が発行されることとなる。そして、紙片には、発行した小切手の記録面の画像が記録されているため、当該紙片は、振出人に渡されていた従来の振出人控えと同様、過去に発行した小切手を管理するために、また、現物の小切手を紛失した場合に金融機関に対して再発行の資格があることを証明するために利用できる。さらに、紙片には、カード情報に関連する情報、例えば、カードが振出人のキャッシュカードである場合には振出人の口座の口座番号等が記録されるが、このようなカード情報に関連する情報が紙片に記録されることにより、振出人は、カード情報と、実際に発行された小切手の情報（小切手の表面の画像）とを対応付けて管理できることとなり、非常に便利である。すなわち、上記構成のように紙片にカード情報に関連する情報を記録することにより、紙片を介して、振出人に対して、有益な情報を提供可能である。
【００１１】
また、上記目的を達成するために、本発明は、カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置であって、一の小切手の発行に際し、当該一の小切手に関連する前記カードの前記カード情報を前記カード読取部によって読み取り、当該一の小切手を前記搬送部により前記搬送路上で搬送し、搬送される当該一の小切手の前記記録面に小切手情報を前記記録部によって記録し、搬送される前記記録部により前記小切手情報が記録された前記記録面を前記光学読取部によって光学的に読み取る小切手処理部と、前記光学読取部の読取結果に基づく当該一の小切手の前記記録面の画像データ、及び、前記カード読取部の読取結果に基づく前記カード情報に関連する情報を、外部の装置にからのアクセスに応じて閲覧可能な態様でＷｅｂサーバーに格納する表示情報格納部と、当該一の小切手の前記記録面の画像データ、及び、前記カード情報に関連する情報に閲覧のためのアクセスを行うためのアクセス用コードを生成するアクセス用コード生成部と、前記紙片発行部により、前記アクセス用コードが記録された前記紙片を発行する紙片発行制御部と、を備えることを特徴とする。
この構成によれば、一の小切手の発行に際し、当該一の小切手の画像データ、及び、カード情報に関連する情報がＷｅｂサーバーに閲覧可能に格納された上で、これら情報に閲覧に係るアクセスするためのアクセス用コードが記録された紙片が発行される。このため、振出人は、アクセス用コードに基づいて、Ｗｅｂサーバーにアクセスすることにより、当該一の小切手の画像データに係る画像、及び、カード情報に関連する情報を、任意のタイミングで閲覧可能である。これにより、過去に発行した小切手を管理する等の振出人控えの本来の機能を備えつつ小切手の発行に関する有益な情報を提供可能な紙片を発行できるほか、以下のような効果を奏することができる。すなわち、振出人に渡される紙片自体には、アクセス用コードが記録される一方、個人情報や、機密情報が記録されない。これにより、第三者の盗み見等に起因した個人情報や、機密情報の漏洩を防止できる。
【００１２】
また、上記目的を達成するために、本発明は、カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置に接続可能な制御装置の制御方法であって、一の小切手の発行に際し、当該一の小切手に関連する前記カードの前記カード情報を前記カード読取部によって読み取らせ、当該一の小切手を前記搬送部により前記搬送路上で搬送させ、搬送される当該一の小切手の前記記録面に小切手情報を前記記録部によって記録させ、搬送される前記記録部により前記小切手情報が記録された前記記録面を前記光学読取部によって光学的に読み取らせ、前記光学読取部の読取結果に基づく当該一の小切手の前記記録面の画像、及び、前記カード読取部の読取結果に基づく前記カード情報に関連する情報が記録された前記紙片を前記紙片発行部に発行させることを特徴とする。
この制御方法によれば、一の小切手の発行に際し、光学読取部の読取結果に基づく当該一の小切手の記録面の画像、及び、カード読取部の読取結果に基づくカード情報に関連する情報が記録された紙片が発行されることとなる。そして、紙片には、発行した小切手の記録面の画像が記録されているため、当該紙片は、振出人に渡されていた従来の振出人控えと同様、過去に発行した小切手を管理するために、また、現物の小切手を紛失した場合に金融機関に対して再発行の資格があることを証明するために利用できる。さらに、紙片には、カード情報に関連する情報、例えば、カードが振出人のキャッシュカードである場合には振出人の口座の口座番号等が記録されるが、このようなカード情報に関連する情報が紙片に記録されることにより、振出人は、カード情報と、実際に発行された小切手の情報（小切手の表面の画像）とを対応付けて管理できることとなり、非常に便利である。すなわち、上記構成のように紙片にカード情報に関連する情報を記録することにより、紙片を介して、振出人に対して、有益な情報を提供可能である。
【００１３】
また、上記目的を達成するために、本発明は、カードに記録されたカード情報を読み取るカード読取部と、小切手を搬送路上で搬送させる搬送部と、搬送される前記小切手の記録面に画像を記録する記録部と、搬送される前記小切手の前記記録面を光学的に読み取る光学読取部と、所定の情報が記録された紙片を発行可能な紙片発行部と、を備える小切手処理装置に接続可能な制御装置の制御方法であって、一の小切手の発行に際し、当該一の小切手に関連する前記カードの前記カード情報を前記カード読取部によって読み取らせ、当該一の小切手を前記搬送部により前記搬送路上で搬送させ、搬送される当該一の小切手の前記記録面に小切手情報を前記記録部によって記録させ、搬送される前記記録部により前記小切手情報が記録された前記記録面を前記光学読取部によって光学的に読み取らせ、前記光学読取部の読取結果に基づく当該一の小切手の前記記録面の画像データ、及び、前記カード読取部の読取結果に基づく前記カード情報に関連する情報を、外部の装置にからのアクセスに応じて閲覧可能な態様でＷｅｂサーバーに格納し、当該一の小切手の前記記録面の画像データ、及び、前記カード情報に関連する情報に閲覧のためのアクセスを行うためのアクセス用コードを生成し、前記紙片発行部に、前記アクセス用コードが記録された前記紙片を発行させることを特徴とする。
この制御方法によれば、一の小切手の発行に際し、当該一の小切手の画像データ、及び、カード情報に関連する情報がＷｅｂサーバーに閲覧可能に格納された上で、これら情報に閲覧に係るアクセスするためのアクセス用コードが記録された紙片が発行される。このため、振出人は、アクセス用コードに基づいて、Ｗｅｂサーバーにアクセスすることにより、当該一の小切手の画像データに係る画像、及び、カード情報に関連する情報を、任意のタイミングで閲覧可能である。これにより、過去に発行した小切手を管理する等の振出人控えの本来の機能を備えつつ小切手の発行に関する有益な情報を提供可能な紙片を発行できるほか、以下のような効果を奏することができる。すなわち、振出人に渡される紙片自体には、アクセス用コードが記録される一方、個人情報や、機密情報が記録されない。これにより、第三者の盗み見等に起因した個人情報や、機密情報の漏洩を防止できる。
【発明の効果】
【００１４】
本発明によれば、小切手の発行に際し、過去に発行した小切手を管理する等の振出人控えの本来の機能を備えつつ小切手の発行に関する有益な情報を提供できる。
【図面の簡単な説明】
【００１５】
【図１】第１実施形態に係る小切手処理システムの構成を示す図である。
【図２】小切手を示す図である。
【図３】小切手処理装置を上から見た様子を模式的に示す図である。
【図４】ホストコンピューター、小切手処理装置の機能構成ブロック図である。
【図５】小切手処理システムの動作を示すフローチャートである。
【図６】振出人控え紙片を示す図である。
【図７】第２実施形態に係る小切手処理システムの構成を示す図である。
【図８】ホストコンピューター、小切手処理装置の機能構成ブロック図である。
【図９】小切手処理システムの動作を示すフローチャートである。
【図１０】振出人控えＤＢのデータ構造を示す図である。
【図１１】描画画像が表示された携帯電話の様子を示す図である。
【図１２】アクセス用紙片を示す図である。
【図１３】別の実施形態に係る小切手処理装置の機能構成ブロック図である。
【発明を実施するための形態】
【００１６】
以下、図面を参照して本発明の実施形態について説明する。
＜第１実施形態＞
図１は、本実施形態に係る小切手処理システム１の構成を示す図である。
この小切手処理システム１は、小切手４（図２）を発行する権限を有する金融機関に適用されるシステムであり、少なくとも、振出人の要請に応じて小切手４を発行する機能を備えている。
図１に示すように、小切手処理システム１は、複数のホストコンピューター１０（制御装置）を備え、ホストコンピューター１０のそれぞれには、小切手処理装置１１が接続されている。
本実施形態では、これらホストコンピューター１０及び小切手処理装置１１は、金融機関のフロアーＦＬに配置されている。より具体的には、金融機関のフロアーＦＬには、金融機関に属する担当者が顧客と対面するためのカウンターＣＴが複数形成されており、カウンターＣＴのそれぞれに、一対のホストコンピューター１０と小切手処理装置１１とが配置されている。小切手４の発行に際しては、カウンターＣＴにて担当者とやり取りした上で、小切手処理システム１の機能により小切手４が発行される。
ホストコンピューター１０のそれぞれは、ＬＡＮ１２を介して通信可能に接続されると共に、このＬＡＮ１２には、基幹系システム１３、及び、Ｗｅｂサーバー１４が接続されている。
【００１７】
基幹系システム１３は、金融機関の基幹業務に係る各種機能を実行するシステムである。この基幹系システム１３は、集中型システムであっても、分散型システムであってもよい。
図１に示すように、基幹系システム１３は、口座管理システム１６と、発行小切手管理システム１７と、を備えている。
口座管理システム１６とは、金融機関と口座契約を結んだ各契約者の口座を管理するシステムであり、口座管理用のデータベースを備え、当該データベースを用いて、契約者ごとに、口座残高に係る情報を含む口座に関する情報を管理する。
発行小切手管理システム１７については後述する。
また、Ｗｅｂサーバー１４は、ネットワーク１８上のブラウザー機能を持った携帯電話１９や、個人が所有するＰＣ２０等の外部の装置からのアクセスに応じて、所定のプロトコルに準拠して所定のサービスを提供するサーバーコンピューターである。Ｗｅｂサーバー１４は、例えば、外部の装置からの金融機関のホームページへのアクセスに応じて、当該外部の装置にホームページを表示させる。
【００１８】
図２は、小切手４の表面４ａ（記録面）の一例を示す図である。
小切手４は、所定の模様や装飾が施されたシートであり、小切手処理装置１１によって小切手４の発行手続がなされる際は、その表面４ａ（記録面）に、発行日情報４ｂや、受取人情報４ｃ、額面数値情報４ｄ、額面文字列情報４ｅ、サイン４ｆ等の小切手情報が記録される。発行日情報４ｂとは、小切手４の発行日を示す情報である。受取人情報４ｃとは、発行された小切手４を受け取る者の名前を示す情報である。額面数値情報４ｄとは、小切手４の額面を数値によって表す情報である。額面文字列情報４ｅとは、小切手４の額面を文字によって表す情報である。額面数値情報４ｄは、例えば、「１０」であり、額面文字列情報４ｅは、例えば、「ｔｅｎ」である。サイン４ｆとは、当該小切手４を発行する責任者（例えば、金融機関の長）の署名のグラフィック画像である。
また、小切手４の裏面には裏書き欄が設けられている。この裏書き欄には、裏書きに係る所定の文字または画像が記録される。
図２に示すように、また、表面４ａには小切手４の長辺方向に延びる磁気インク文字列４ｇが形成されている。磁気インク文字列４ｇは、小切手４固有の識別情報を示すものであり、磁気インクで記録された複数の磁気インク文字４ｈが並んで構成され、磁気的または光学的に読み取ることができる。
本実施形態では、小切手４は、以下の態様で発行されるものとする。
すなわち、金融機関に口座を開設している振出人が小切手４を発行する主体となり得る。そして、小切手４の発行に際し、振出人は、金融機関のカウンターＣＴにて、自身の銀行カードを後述するカードリーダー２２に読み取らせると共に、小切手４の額面や、小切手４の受取人の氏名等の必要な情報を担当者に伝達する。次いで、担当者は、ホストコンピューター１０を操作して、小切手処理装置１１により、必要な小切手情報が記録された小切手４を発行する。その際、ホストコンピューター１０と、基幹系システム１３の口座管理システム１６とが協働して、小切手４の額面に対応する額（手数料等を反映した額）を、振出人の口座から引き落とす。このようにして、発行された小切手４は、適宜のタイミングで受取人に引き渡され、受取人は、受け取った小切手４を所定の金融機関にて換金できる。
【００１９】
図３は、小切手処理装置１１を上から見たときの内部構造を模式的に示す図である。
図３に示すように、小切手処理装置１１には、上から見た場合にＵ字形状をした細幅の垂直溝からなる搬送路２３が形成されており、この搬送路２３の一方の端は広幅の垂直溝からなる小切手供給部２４に連通しており、他方の端は分岐して、それぞれ広幅の垂直溝からなる第１収容部２５、及び、第２収容部２６に連通している。
小切手供給部２４は、処理前の小切手４を複数枚（例えば１００枚）収容可能に構成されており、収容された小切手４を一枚ずつ搬送路２３に送り出すための送り出し機構が設けられている。小切手供給部２４に収容される際、小切手４は、その表面４ａが外側に向かった状態となるように収容され、その表面４ａが外側に向かった状態のまま搬送路２３上を搬送される。
また、小切手処理装置１１には、搬送路２３において、小切手４を搬送方向に搬送させる搬送機構２７が設けられている。搬送機構２７は、複数の搬送ローラー２８と、各搬送ローラー２８に押しつけられて連れ回りする複数の従動ローラー２９と、各搬送ローラー２８を駆動する搬送用モーター３０（図４）とを備えており、後述するデバイス側制御部３１の制御の下、搬送用モーター３０の駆動に従って、搬送ローラー２８、従動ローラー２９とのそれぞれが回転し、小切手４が搬送方向に搬送される。搬送機構２７と、デバイス側制御部３１とが協働して搬送部として機能する。
【００２０】
小切手供給部２４の搬送方向下流には、小切手４の表面４ａに接して磁気インク文字列４ｇを磁気的に読み取る磁気ヘッド３３が配置されている。
搬送路２３において、磁気ヘッド３３の搬送方向下流には、表面側記録ヘッド３４（記録部）と、裏面側記録ヘッド３５とを備える記録ヘッドユニット３６が設けられている。表面側記録ヘッド３４、及び、裏面側記録ヘッド３５のそれぞれは、インクを吐出して画像を記録するインクジェット方式の記録ヘッドである。
表面側記録ヘッド３４は、搬送路２３を搬送される小切手４の表面４ａに対向するように設けられており、小切手４の発行手続に際して表面４ａに上述した各小切手情報を記録する。一方、裏面側記録ヘッド３５は、搬送路２３を搬送される小切手４の裏面に対向するように設けられており、小切手４の受付手続に際して裏面にいわゆる裏書きと呼ばれる文字や画像を記録する。
【００２１】
さらに、搬送路２３において、記録ヘッドユニット３６の搬送方向下流には、表面側ＣＩＳ（Contact Image Sensor）３８（光学読取部）と、裏面側ＣＩＳ３９とを備えるＣＩＳユニット４０が設けられている。
表面側ＣＩＳ３８は、搬送路２３を搬送される小切手４の表面４ａに対向するように設けられており、搬送路２３を搬送される小切手４の表面４ａの画像を光学的に読み取り、読み取り結果をデバイス側制御部３１に出力する。一方、裏面側ＣＩＳ３９は、搬送路２３を搬送される小切手４の裏面に対向するように設けられており、搬送路２３を搬送される小切手４の裏面の画像を光学的に読み取り、読み取り結果をデバイス側制御部３１に出力する。
【００２２】
搬送路２３の他方の端では、搬送路２３が分岐して第１分岐路４１、及び、第２分岐路４２が形成されており、第１分岐路４１には第１収容部２５が、第２分岐路４２には第２収容部２６がそれぞれ連通している。搬送路２３が分岐した部位には、搬送路２３上を流れてきた小切手４について、第１分岐路４１を経由して第１収容部２５に収容するか、又は、第２分岐路４２を経由して第２収容部２６に収容するかを選択的に切り換える切換板４３が設けられている。切換板４３は、切換用モーター４４（図４）に接続されており、デバイス側制御部３１は、切換用モーター４４を駆動して、上記切り替えを実行する。後述する磁気インク文字認識部４５による磁気インク文字列４ｇの読み取りが成功した小切手４については第１収容部２５に収容され、読み取り結果が失敗した小切手４については第２収容部２６に収容される。
図示は省略したが、搬送路２３には、小切手４の搬送の制御のための各種センサーが配置されている。センサーとしては、例えば、小切手４が重なった状態で搬送されていることを検出するセンサーや、紙ジャムを検出するセンサー、所定の位置における小切手４の有無を検出するセンサー等がある。
【００２３】
図３に示すように、小切手処理装置１１は、紙片発行装置４７（紙片発行部）を備えている。
紙片発行装置４７は、ロール紙を収容し、このロール紙の記録面に、インクジェットヘッドによってインクを吐出して画像を記録した上で、所定の位置でロール紙を切断することにより、紙片を発行するインクジェットプリンターである。
さらに、図３に示すように、小切手処理装置１１は、カードリーダー２２（カード読取部）を備えている。
カードリーダー２２は、ＭＣＲヘッド４８（図４）を備えており、スリット４９を通るカードに磁気的に記録されたカード情報を、ＭＣＲヘッド４８によって読み取って、デバイス側制御部３１に出力する。カードとしては、例えば、小切手を発行しようとしている振出人のキャッシュカード等がある。
【００２４】
図４は、小切手処理装置１１と、ホストコンピューター１０の機能的構成を示すブロック図である。
図４に示すように、小切手処理装置１１は、デバイス側制御部３１と、媒体処理部５０と、磁気ヘッド３３と、記録ヘッドユニット３６と、ＣＩＳユニット４０と、カードリーダー２２と、紙片発行装置４７と、デバイス側記憶部５１と、インターフェイス部５２（Ｉ／Ｆ）と、を備えている。
デバイス側制御部３１は、小切手処理装置１１の各部を中枢的に制御するものであり、演算実行部としてのＣＰＵや、このＣＰＵに実行されるファームウェア等の制御プログラムや、この制御プログラムに係るデータ等を不揮発的に記憶するＲＯＭ、ＣＰＵに実行される制御プログラムに係るデータ等を一時的に記憶するＲＡＭ、その他の周辺回路等を備えている。
媒体処理部５０は、上述した搬送用モーター３０、及び、切換用モーター４４のほか、小切手４の処理に供する各種機構、装置を備え、デバイス側制御部３１の制御の下、小切手４の処理を実行する。
磁気ヘッド３３は、所定の信号処理回路を備え、搬送路２３上を搬送される小切手４の磁気インク文字列４ｇによって形成される磁界の変化によって発生する起電力に基づいて検出信号を生成し、生成した検出信号を増幅し、波形整形し、デジタル変換した上で、磁気読取結果データとして、デバイス側制御部３１に出力する。デバイス側制御部３１は、入力された磁気読取結果データをホストコンピューター１０の制御部５５に出力する。
【００２５】
記録ヘッドユニット３６の表面側記録ヘッド３４、及び、裏面側記録ヘッド３５は、デバイス側制御部３１の制御の下、搬送路２３上を搬送される小切手４の表面４ａ又は裏面に画像を記録する。デバイス側制御部３１は、各記録ヘッドが備えるアクチュエーターを駆動し、各記録ヘッドに形成されたノズル孔から必要量のインクを吐出することにより、小切手４の表面４ａ又は裏面に画像を記録する。
また、ＣＩＳユニット４０の表面側ＣＩＳ３８、及び、裏面側ＣＩＳ３９は、搬送路２３を搬送される小切手４の表面４ａ又は裏面を光学的に読みと取って、読取結果をデバイス側制御部３１に出力する。デバイス側制御部３１は、表面側ＣＩＳ３８の読取結果に基づいて小切手４の表面４ａを示す画像データ（以下、「表面画像データ」という。）を生成しホストコンピューター１０の制御部５５に出力し、また、裏面側ＣＩＳ３９の読取結果に基づいて小切手４の裏面を示す画像データを生成し制御部５５に送信する。
カードリーダー２２は、ＭＣＲヘッド４８を備えており、ＭＣＲヘッド４８によってスリット４９を通されたカードのカード情報を読み取り、読取結果をカード読取結果データとして、デバイス側制御部３１に出力する。デバイス側制御部３１は、入力されたカード読取結果データをホストコンピューター１０の制御部５５に出力する。
紙片発行装置４７は、ロール紙を搬送する搬送機構や、インクジェットヘッドによってロール紙に画像を記録する記録機構、所定の位置にてロール紙を切断する切断機構等の紙片の発行に係る各種機構を備える紙片発行機構５６を備え、デバイス側制御部３１の制御の下、紙片発行機構５６によって紙片を発行する。
デバイス側記憶部５１は、ＥＥＰＲＯＭや、ハードディスク等の不揮発性メモリーを備え、各種データを書き換え可能に記憶する。
インターフェイス部５２（Ｉ／Ｆ）は、デバイス側制御部３１の制御の下、ホストコンピューター１０との間で所定の規格に準拠した通信を行う。
【００２６】
また、図３に示すように、ホストコンピューター１０は、制御部５５と、入力部５８と、表示部５９と、記憶部６０と、インターフェイス部６１（Ｉ／Ｆ）と、を備えている。
制御部５５は、ホストコンピューター１０の各部を中枢的に制御するものであり、ＣＰＵや、ＲＯＭ、ＲＡＭ、その他の周辺回路等を備えている。制御部５５は、小切手処理部６２と、磁気インク文字認識部４５と、記録面画像データ記憶部６３と、紙片発行制御部６４とを備えているが、これら機能ブロックについては後述する。
入力部５８は、各種入力デバイスに接続され、各種入力デバイスに対する操作を検出して、制御部５５に出力する。
表示部５９は、表示パネルに接続され、制御部５５の制御の下、各種情報を表示パネルに表示する。
記憶部６０は、ＥＥＰＲＯＭや、ハードディスク等の不揮発性メモリーを備え、各種データを不揮発的に書き換え可能に記憶する。
インターフェイス部６１（Ｉ／Ｆ）は、制御部５５の制御の下、小切手処理装置１１との間で所定の規格に準拠した通信を行う。
【００２７】
ところで、小切手４の発行手続では、以下の３つの媒体が出力されることが求められる。
１つ目は、発行された小切手４の現物である。当該小切手４の現物は、振出人を経由して、又は、金融機関から直接、受取人に渡され、受取人は、当該小切手４の現物を所定の金融機関に持ち込むことにより、小切手４の額が示す金銭を得ることができる。
２つ目は、金融機関控えである。この金融機関控えは、例えば、小切手４に記録された内容と同等の内容が記録された紙媒体であり、金融機関にて保管された上で、金融機関において、過去に発行した小切手４を管理する際に使用されたり、また、決済、小切手４の再発行その他の処理を行う際に使用されたりする。
３つ目は、振出人控えである。この振出人控えは、例えば、小切手４に記録された内容と同等の内容が記録された紙媒体であり、振出人に渡される。振出人は、振出人控えを、自身が過去に発行した小切４手を管理するために、また、現物の小切手４を紛失した場合に金融機関に対して再発行の資格があることを証明するために利用する。
【００２８】
このように３つの媒体を出力するために、従来、金融機関では以下の運用が行われていた。
すなわち、小切手４として、現物の小切手４に対応する媒体、金融機関控えに対応する媒体、及び、振出人控えに対応する媒体の３つの媒体がカーボン紙を介在して一体的に形成された専用のものを使用し、当該専用の小切手４にドットインパクトプリンターを利用して小切手情報を記録することにより、小切手情報がそれぞれ記録された上記３つの媒体を発行していた。
しかしながら、周知の通り、ドットインパクトプリンターは、インクリボンにワイヤーを叩きつけて画像を記録するという性質上、騒音が発生するというデメリットがあった。特に、金融機関のフロアーＦＬでは、フロアーＦＬの高級感や、落ち着いた感じを出すべく、静音性が強く求められていた。
これを踏まえ、レーザープリンターや、インクジェットプリンターを各カウンターＣＴの担当者のそれぞれが利用できる位置に設け、当該プリンターを利用して、金融機関控え、及び、振出人控えを発行するようにする場合も従来あった。しかしながら、この場合、レーザープリンターや、インクジェットプリンターによって各控えを発行した後、担当者が、各控えを当該プリンターが配置された位置まで取りに行く必要があるが、担当者が各控えを取りに行っている間は、カウンターＣＴに金融機関側の人間がだれもいない状態となり、セキュリティーの観点から問題があった。
また、小切手４を発行した振出人に対して、従来のように小切手４に記録されている情報のみならず、小切手４の発行に関する情報、特に、小切手４の発行に伴う口座残高の変動に関する情報を提供できれば、顧客満足度の向上を図ることができるため、金融機関側、及び、振出人側の双方にとって利便性の高い適切な方法で、有益な情報を提供したいとするニーズがあった。
以上を踏まえ、本実施形態に係る小切手処理システム１は、１枚の小切手４の発行手続に際し、以下の動作を実行する。
【００２９】
図５は、ある１枚の小切手４を発行する際の小切手処理システム１の動作を示すフローチャートであり、（Ａ）は小切手処理装置１１の動作を、（Ｂ）はホストコンピューター１０の動作を、（Ｃ）は基幹系システム１３の動作をそれぞれ示している。
図５のフローチャートの前提として、ホストコンピューター１０に対して、小切手４を発行するために必要な情報が入力されているものとする。必要な情報とは、例えば、受取人の氏名や、小切手４の額面である。これら必要な情報は、カウンターＣＴにおいて、担当者により、例えば、専用のアプリケーションにより提供されるユーザーインターフェイスを介して入力される。また、小切手供給部２４に発行しようとしている小切手４が収容されている状態であるものとする。
また、以下の説明において、小切手処理部６２、磁気インク文字認識部４５、記録面画像データ記憶部６３、及び、紙片発行制御部６４の機能は、ＣＰＵがプリンタードライバー等のプログラムを読み出して実行する等、ハードウェアとソフトウェアとの協働により実現される。
【００３０】
図５に示すように、小切手４の発行にあたって、まず、振出人の銀行カード（例えばキャッシュカード）がカードリーダー２２により読み取られる（ステップＳＸ１）。
この銀行カードには、少なくとも、振出人の口座を識別するための口座番号（口座情報）を示す情報が記録されており、小切手処理装置１１のデバイス側制御部３１は、カードリーダー２２の読取結果に基づいて、振出人の口座番号を示す情報を含むカード読取結果データを生成し、ホストコンピューター１０に出力する（ステップＳＡ１）。
カード読取結果データが入力されたホストコンピューター１０の制御部５５の小切手処理部６２は、当該カード読取結果データに含まれる口座番号を示す情報をＲＡＭ等に一時記憶すると共に、当該口座番号を示す情報、予め入力されている小切手４の額面を示す情報、及び、その他の振出人の口座からの引き落としに係る処理をするために必要な情報を、基幹系システム１３の口座管理システム１６に出力する（ステップＳＢ１）。
これら情報が入力された基幹系システム１３の口座管理システム１６は、これら情報に基づいて、振出人の口座から小切手４の額面に対応する額の引き落としに係る処理を実行する（ステップＳＣ１）。ステップＳＣ１の処理後、口座管理システム１６は、少なくとも、振出人の口座から引き落とされた金額、引き落とし前の口座残高、及び、引き落とし後の口座残高の情報を、例えば、専用のデータベース等により管理する。
次いで、ホストコンピューター１０の小切手処理部６２は、小切手供給部２４に収容された小切手４を搬送路２３に送り出させ、必要量だけ搬送させて、その表面４ａに記録された磁気インク文字列４ｇを磁気ヘッド３３により読み取らせる動作を行わせる制御コマンドを小切手処理装置１１に出力する（ステップＳＢ２）。
小切手処理装置１１のデバイス側制御部３１は、入力された制御コマンドに基づいて、磁気ヘッド３３によって小切手４の磁気インク文字列４ｇを読み取り、読取結果に基づいて磁気読取結果データを生成し、生成した磁気読取結果データをホストコンピューター１０に出力する（ステップＳＡ２）。
【００３１】
ホストコンピューター１０の磁気インク文字認識部４５は、入力された磁気読取結果データを利用して以下の処理を行う（ステップＳＢ３）。
すなわち、磁気インク文字認識部４５は、入力された磁気読取結果データに基づいて、磁気ヘッド３３により検出された検出信号が示す波形と、パターンマッチング用の基準波形とを照合し、磁気インク文字列４ｇを構成する磁気インク文字４ｈのそれぞれについて認識を試みる。磁気インク文字認識部４５は、磁気インク文字列４ｇを構成する磁気インク文字４ｈの全てについて認識ができた場合は、磁気インク文字列４ｇの読み取りが成功したと判別し、認識結果を識別情報としてＲＡＭ等の一時記憶領域に記憶する。この識別情報とは、磁気インク文字列４ｇを構成する磁気インク文字４ｈのそれぞれの文字種類を特定する情報であり、例えば、磁気インク文字４ｈのフォントがＥ−１３Ｂフォントの場合は、磁気インク文字列４ｇを構成する磁気インク文字４ｈのそれぞれについて、「０」〜「９」、及び、４つの制御文字（トランジット記号（TRANSIT SYMBOL）、アマウント記号（AMOUNT SYMBOL）、オン−アス記号（ON-US SYMBOL）、及び、ダッシュ記号（DASH SYMBOL））の１４個の文字種類のうちのいずれかの文字種類に特定する情報である。また、読み取りが成功した場合には、磁気インク文字認識部４５は、切換板４３を第１収容部２５側に切り換えさせる制御コマンドを小切手処理装置１１に出力する。
一方、磁気インク文字認識部４５は、磁気インク文字列４ｇを構成する磁気インク文字４ｈのうち、１つでも認識が失敗したものがある場合は、磁気インク文字列４ｇの読み取りが失敗したと判別する。また、読み取りが失敗した場合には、磁気インク文字認識部４５は、切換板４３を第２収容部２６側に切り換えさせる制御コマンドを小切手処理装置１１に出力する。
切換板４３を第１収容部２５側、第２収容部側のいずれかに切り換えさせる制御コマンドが入力された小切手処理装置１１のデバイス側制御部３１は、当該制御コマンドに基づいて、切換板４３の切り換えを実行する（ステップＳＡ３）。
【００３２】
次いで、ホストコンピューター１０の小切手処理部６２は、小切手４を必要量だけ搬送させて、表面側記録ヘッド３４によって、その表面４ａに小切手情報を記録させる制御コマンドを小切手処理装置１１に出力する（ステップＳＢ４）。
小切手処理装置１１のデバイス側制御部３１は、入力された制御コマンドに基づいて、表面側記録ヘッド３４、及び、その他の必要な機構、装置を制御して、小切手４の表面４ａに小切手情報を記録する（ステップＳＡ４）。
次いで、ホストコンピューター１０の小切手処理部６２は、小切手４を必要量だけ搬送させて、表面側ＣＩＳ３８によって、その表面４ａを光学的に読み取らせる制御コマンドを小切手処理装置１１に出力する（ステップＳＢ５）。
小切手処理装置１１のデバイス側制御部３１は、入力された制御コマンドに基づいて、表面側ＣＩＳ３８、及び、その他の必要な機構、装置を制御して、表面側ＣＩＳ３８によって小切手４の表面４ａを光学的に読み取り、読取結果に基づいて、小切手４の表面４ａを示す画像データである表面画像データを生成し、ホストコンピューター１０に出力する（ステップＳＡ５）。
【００３３】
ホストコンピューター１０の記録面画像データ記憶部６３は、入力された表面画像データをＲＡＭ等の一時記憶領域に一時記憶すると共に、当該表面画像データを金融機関控えＤＢ７０に格納させる制御コマンドを生成し、基幹系システム１３の発行小切手管理システム１７に出力する（ステップＳＢ６）。
基幹系システム１３の発行小切手管理システム１７は、当該制御コマンドに基づいて、入力された表面画像データを所定の管理情報と対応付けて、金融機関控えＤＢ７０に格納する（ステップＳＣ２）。所定の管理情報とは、金融機関控えＤＢ７０において表面画像データを検索するときにキーとなる情報や、小切手４に関連する情報等のことであり、例えば、当該データを格納する時の日時（日付、時刻）を示す情報や、振出人を示す情報、振出人の口座番号を示す情報等である。
本実施形態において、金融機関控えＤＢ７０に格納された表面画像データは、金融機関控えに該当するものである。表面画像データは、小切手４の表面４ａの画像を示す画像データであるため、小切手４の表面４ａに記録された情報が過不足なく含まれており、当該データを電子的に保管することにより、金融機関控えを紙媒体として保管した場合と同様の効果を得ることができる。このように金融機関控えを電子的に保管することにより、ドットインパクトプリンターによる騒音の問題、及び、中央集中的なプリンターを使用することによるセキュリティーの問題の双方を解決した上で、適切に金融機関控えを保管できると共に、従来のように紙媒体の金融機関控えを保管する物理的な場所を確保する必要が無く省スペース化を実現でき、また、任意の小切手４に係る金融機関控えを検索する際に、既存のデータベース検索を利用して容易に検索可能である。
【００３４】
次いで、ホストコンピューター１０の小切手処理部６２は、小切手４を必要量だけ搬送させて、小切手４を第１収容部２５、又は、第２収容部２６のいずれかに排出させる制御コマンドを小切手処理装置１１に出力する（ステップＳＢ７）。
小切手処理装置１１のデバイス側制御部３１は、小切手４を搬送して、第１収容部２５、及び、第２収容部２６のうち、切換板４３が導く収容部に小切手４を排出する（ステップＳＡ６）。これにより、小切手４は、磁気インク文字列４ｇの読み取りの成功／失敗に応じた適切な収容部に収容される。ここで収容部に収容された小切手４は、小切手４の現物にあたり、カウンターＣＴの担当者により、振出人に引き渡される。
次いで、ホストコンピューター１０の紙片発行制御部６４は、振出人に引き渡す紙片である振出人控え紙片７１（図６）を紙片発行装置４７に発行させるべく、小切手処理装置１１及び基幹系システム１３と協働して以下の処理を実行する。
以下、まず、振出人控え紙片７１の内容を説明した後、当該振出人控え紙片７１の発行に係る処理を説明する。
【００３５】
図６は、振出人控え紙片７１の一例を示す図である。
図６に示すように、振出人控え紙片７１は、先頭から末尾へと向かって、以下の情報を示す画像が、順次、記録された紙片である。
すなわち、先頭に、当日の日付を示す日付情報画像７２が記録される。次に、振出人の氏名を示す氏名情報画像７３が記録される。次に、振出人の口座番号を示す口座番号情報画像７４が記録される。次に、今回の小切手４の発行にあたって振出人の口座から引き落とされた額を示す引落金額情報画像７５が記録される。次に、引き落としが行われる前の振出人の口座残高を示す引落前口座残高情報画像７６が記録される。次に、引き落としが行われた後の振出人の口座残高を示す引落後口座残高情報画像７７が記録される。次に、上述した識別情報（磁気インク文字列４ｇが示す情報）を示す小切手識別情報画像７８が記録される。次に、発行した小切手４の表面４ａの画像である小切手表面画像７９が記録される。
このような情報が記録された振出人控え紙片７１を発行し、振出人に渡すことにより、以下のメリットがある。
【００３６】
すなわち、振出人控え紙片７１には、小切手情報が記録された発行済の小切手４の表面４ａの画像が記録された状態である。従って、当該紙片は、従来の振出人控えと同様、過去に発行した小切手４を管理するために、また、現物の小切手４を紛失した場合に金融機関に対して再発行の資格があることを証明するために利用可能である。つまり、振出人控えの本来の機能を保持している。また、振出人控えとして上記のような紙片を発行するという運用が行われることにより、ドットインパクトプリンターによる騒音の問題、及び、中央集中的なプリンターを使用することによるセキュリティーの問題の双方を解決した上で、適切に振出人控えに対応する媒体を振出人に提供することが可能である。
さらに、振出人控え紙片７１には、口座残高に係る情報が記録されている。上述したように、本実施形態では、小切手４の発行は、振出人の口座からの引き落としを伴って行われるものである。従って、小切手４の発行に伴う口座残高に係る情報、特に、口座残高がどのように変動したかを示す情報は、振出人にとって非常に有益な情報といえる。従って、振出人控え紙片７１に口座残高に係る情報が記録され、当該紙片が振出人に引き渡されることにより、振出人控え紙片７１が振出人に引き渡されるという特性を最大限に活用して、振出人に対して有益な情報を提供可能である。
また、振出人は、１枚の媒体によって、小切手４の情報と、当該小切手４の発行に係る口座の情報とを対応付けて管理できるため、非常に便利である。
【００３７】
さて、図６に示す振出人控え紙片７１の発行にあたり、まず、ホストコンピューター１０の紙片発行制御部６４は、ステップＳＢ１で取得した口座番号を示す情報をキーとして、基幹系システム１３の口座管理システム１６に、振出人の氏名、口座番号、引き落としの額、引き落とし前の口座残高、及び、引き落とし後の口座残高のそれぞれを問い合わせる（ステップＳＢ８）。
当該問い合わせを受けた基幹系システム１３の口座管理システム１６は、問い合わせに係る情報のそれぞれをホストコンピューター１０に出力する（ステップＳＣ３）。
ホストコンピューター１０の紙片発行制御部６４は、基幹系システム１３の口座管理システム１６の応答に基づいて、振出人の氏名、口座番号、引き落としの額、引き落とし前の口座残高、及び、引き落とし後の口座残高のそれぞれの情報を取得し（ステップＳＢ９）、さらに、振出人控え紙片７１に記録すべき必要な情報を取得する（ステップＳＢ１０）。具体的には、紙片発行制御部６４は、図示せぬＲＴＣからの入力値に基づいて当日の日付を示す情報を取得し、ステップＳＢ１においてＲＡＭに一時記憶された識別情報、及び、ステップＳＢ６においてＲＡＭに一時記憶された表面画像データを取得する。
次いで、紙片発行制御部６４は、ステップＳＢ９、ステップＳＢ１０で取得した情報に基づいて、ロール紙に、図６の振出人控え紙片７１に示した所定の順番で、各情報を記録させ、ロール紙を切断させることにより、振出人控え紙片７１を発行させる制御コマンドを生成し、小切手処理装置１１に出力する（ステップＳＢ１１）。
小切手処理装置１１は、当該制御コマンドに基づいて、紙片発行装置４７の紙片発行機構５６を制御して、振出人控え紙片７１を発行する（ステップＳＡ７）。
【００３８】
以上説明したように、本実施形態によれば、ホストコンピューター１０は、小切手処理装置１１に小切手４の発行に係る各種処理を実行させる小切手処理部６２と、表面側ＣＩＳ３８の読取結果に基づいて、小切手４の表面４ａの画像データである表面画像データを金融機関控えＤＢ７０に記憶させる記録面画像データ記憶部６３と、表面側ＣＩＳ３８の読取結果に基づく小切手４の表面４ａの画像、及び、カードリーダー２２の読取結果に基づくカード情報に関連する情報（カード情報に含まれる口座番号の口座残高に係る情報）が記録された振出人控え紙片７１を紙片発行装置４７に発行させる紙片発行制御部６４と、を備えている。
この構成によれば、小切手４の発行に際し、表面側ＣＩＳ３８の読取結果に基づく小切手４の表面４ａの画像、及び、カードリーダー２２の読取結果に基づくカード情報に関連する情報が記録された振出人控え紙片７１が発行されることとなる。そして、発行した振出人控え紙片７１には、小切手情報が記録された小切手４の表面４ａの画像が記録されているため、当該紙片は、振出人に渡されていた従来の振出人控えと同様、過去に発行した小切手４を管理するために、また、現物の小切手４を紛失した場合に金融機関に対して再発行の資格があることを証明するために利用できる。さらに、振出人控え紙片７１には、カード情報に関連する情報、具体的には、口座に関する情報が記録されるが、このような情報が振出人控え紙片７１に記録されることにより、振出人は、カード情報（口座に関する情報）と、実際に発行された小切手４の情報（小切手４の表面４ａの画像）とを対応付けて管理できることとなり、非常に便利である。さらに、上記構成のように振出人控え紙片７１にカード情報（口座に関する情報）を記録することにより、振出人控え紙片７１を介して、振出人に対して、有益な情報を提供可能である。
【００３９】
また、本実施形態では、小切手４の発行は、振出人の口座から小切手４の額面に対応する額の引き落としを伴って行われるものである。また、カードリーダー２２により読み取られるカードには、カード情報として振出人の口座を識別するための口座番号（口座情報）が記録されたものである。また、ホストコンピューター１０には、ＬＡＮ１２を介して、基幹系システム１３の口座管理システム１６が接続されている。
そして、ホストコンピューター１０の紙片発行制御部６４は、カードリーダー２２が読み取った口座番号に基づいて、口座管理システム１６にアクセスして振出人の口座残高に係る情報を取得し、取得した口座残高に係る情報が記録された振出人控え紙片７１を紙片発行装置４７に発行させる。
ここで、上記構成にように、振出人の口座からの引き落としを伴って小切手４の発行が行われる場合、小切手４の発行による口座残高の変動に関する情報は、振出人にとって非常に有益な情報である。
これを踏まえ、上記構成によれば、小切手４の発行に際して、当該小切手４の表面４ａの画像と、振出人の口座残高に係る情報とが記録された振出人控え紙片７１が発行されるため、振出人は、振出人控え紙片７１を介して、非常に有益な情報を取得可能である。
【００４０】
＜第２実施形態＞
次いで、第２実施形態について説明する。
図７は、本実施形態に係る小切手処理システム１の構成を示す図である。
以下の説明において、第１実施形態の構成要素と同一の構成要素については同一の符号を付して、その説明を省略する。
図１と、図７との比較において明らかなように、本実施形態では、Ｗｅｂサーバー１４が振出人控えＤＢ８０を備えている点で、第１実施形態に係る小切手処理システム１の構成と異なっている。
【００４１】
図８は、本実実施形態に係るホストコンピューター１０、及び、小切手処理装置１１の機能的構成を示すブロック図である。
図４と、図８との比較において明らかなように、本実施形態では、ホストコンピューター１０の制御部５５は、機能ブロックとして、さらに、表示情報格納部８１、アクセス用コード生成部８２、及び、認証部８３を備えている。これら機能ブロックの機能は、ＣＰＵがプリンタードライバーを読み出して実行する等、ハードウェアとソフトウェアとの協働により実現される。これら機能ブロックについては後述する。
【００４２】
図９は、本実施形態に係る小切手処理システム１が１枚の小切手４を発行する際の動作を示すフローチャートであり、（Ａ）は小切手処理装置１１の動作を、（Ｂ）はホストコンピューター１０の動作を、（Ｃ）は基幹系システム１３の動作を、（Ｄ）はＷｅｂサーバー１４の動作をそれぞれ示している。
図５と、図９との比較において明らかなように、図５と図９とでは、小切手処理装置１１のステップＳＡ１〜ステップＳＡ６の処理、ホストコンピューター１０のステップＳＢ１〜ステップＳＢ７の処理、及び、基幹系システム１３のステップＳＣ１〜ステップＳＣ２の処理は共通しているため、その説明を省略する。
さて、ステップＳＢ１２において、ホストコンピューター１０の紙片発行制御部６４は、ステップＳＢ１で取得した口座番号を示す情報をキーとして、基幹系システム１３の口座管理システム１６に、振出人の氏名、口座番号、引き落としの額、引き落とし前の口座残高、及び、引き落とし後の口座残高のそれぞれを問い合わせる（ステップＳＢ１２）。
当該問い合わせを受けた基幹系システム１３の口座管理システム１６は、問い合わせに係る情報のそれぞれをホストコンピューター１０に出力する（ステップＳＣ４）。
ホストコンピューター１０の紙片発行制御部６４は、基幹系システム１３の口座管理システム１６の応答に基づいて、振出人の氏名、口座番号、小切手４の発行に伴う引き落としの額、引き落とし前の口座残高、及び、引き落とし後の口座残高のそれぞれの情報を取得する（ステップＳＢ１３）。さらに、紙片発行制御部６４は、図示せぬＲＴＣからの入力値に基づいて当日の日付を示す情報を取得し、ステップＳＢ１においてＲＡＭに一時記憶された識別情報、及び、ステップＳＢ６においてＲＡＭに一時記憶された表面画像データを取得する（ステップＳＢ１４）。
次いで、表示情報格納部８１は、ステップＳＢ１３、ステップＳＢ１４で取得した情報を含む情報が格納された１件のレコードを振出人控えＤＢ８０に生成させる制御コマンドをＷｅｂサーバー１４に出力する（ステップＳＢ１５）。
Ｗｅｂサーバー１４は、当該制御コマンドに基づいて、振出人控えＤＢ８０に１件の適切なレコードを生成する（ステップＳＤ１）。
【００４３】
図１０は、振出人控えＤＢ８０のデータ構造を示す図である。
図１０に示すように、振出人控えＤＢ８０の１件のレコードでは、後述するＵＲＬ情報と、当日の日付を示す日付情報と、振出人の氏名を示す氏名情報と、振出人の口座番号を示す口座番号情報と、小切手４の発行に振出人の口座から引き落とされた額を示す引落金額情報と、引き落としが行われる前の振出人の口座残高を示す引落前口座残高情報と、引き落としが行われた後の振出人の口座残高を示す引落後口座残高情報と、上述した識別情報（磁気インク文字列４ｇが示す情報）を示す小切手識別情報と、表面画像データと、ログインＩＤと、ログインパスワードと、が対応付けられている。
ステップＳＤ１の処理に当たり、Ｗｅｂサーバー１４は、自身のサーバーで設定可能なＵＲＬであって、ユニークなＵＲＬを割り振り、ＵＲＬ情報として、レコードの所定のフィールドに格納する。
ネットワーク１８上の携帯電話１９等の外部の装置から当該ＵＲＬに対してアクセスがあった場合、Ｗｅｂサーバー１４は、振出人控えＤＢ８０の対応するレコードを参照した上で、ｈｔｍｌファイル等からなる所定の描画データを生成し、当該外部の装置のブラウザーに出力することにより、後述する所定の画像を表示させる。
ここで、本実施形態では、外部の装置からの上記ＵＲＬへのアクセスにあたり、認証部８３が、ログインＩＤ、及び、ログインパスワードを利用した認証を行う構成となっている。後述するように、外部の装置による上記ＵＲＬへのアクセスに応じて、当該外部の装置に表示される情報は、上述した振出人控え紙片７１に記録された情報と同一性を有しており、振出人のみに公開すべき情報である。これを踏まえ、本実施形態は、ログインＩＤは、振出人の口座番号とされ、また、ログインパスワードは、振出人が銀行カードの発行に当たって金融機関に事前に届出たパスワードとされる。当該パスワードは、振出人のみが知っているパスワードだからである。これらログインパスワードと、ログインＩＤとは、基幹系システム１３の口座管理システム１６で管理されており、Ｗｅｂサーバー１４は、口座管理システム１６と通信して、これら情報を取得し、対応するレコードの所定のフィールドに格納する。
【００４４】
図１１は、ステップＳＤ１において割り振られたＵＲＬに対して、外部の装置たる携帯電話１９からアクセスがあった場合に、携帯電話１９の表示パネル８５に表示される画像である描画画像８６の一例を示す図である。
図１１に示すように、携帯電話１９の表示パネル８５に表示される描画画像８６の内容は、図６の振出人控え紙片７１の内容と同一性を有している。すなわち、先頭から順に、日付情報画像７２ａ、氏名情報画像７３ａ、口座番号情報画像７４ａ、引落金額情報画像７５ａ、引落前口座残高情報画像７６ａ、引落後口座残高情報画像７７ａ、小切手識別情報画像７８ａ、及び、小切手表面画像７９ａが表示される。
振出人控えＤＢ８０のレコードには、描画画像８６に表示すべき情報が過不足無く含まれている。従って、Ｗｅｂサーバー１４は、外部の装置から対応するＵＲＬにアクセスがあった場合、振出人控えＤＢ８０の当該ＵＲＬに対応するレコードを参照して、必要な情報を取得し、取得した情報に基づいて、専用のアルゴリズムが実装された機能により、ｈｔｍｌファイル等からなる描画データを生成し、生成した描画データを当該外部の装置のブラウザーに出力する。
【００４５】
さて、ステップＳＤ１において、振出人控えＤＢ８０にレコードを生成した後、Ｗｅｂサーバー１４は、ステップＳＤ１で割り振ったＵＲＬを示す情報を、ホストコンピューター１０に出力する（ステップＳＤ２）。
ホストコンピューター１０のアクセス用コード生成部８２は、入力されたＵＲＬを示す情報に基づいて、当該ＵＲＬへのアクセス用の二次元コードからなるアクセス用コードを生成する（ステップＳＢ１６）。このアクセス用コードは、所定の規格に準拠して上記ＵＲＬを示す情報が含まれたコードであり、媒体に記録したものを光学的に読み取ることによって、自動で当該ＵＲＬにアクセスすることが可能である。
次いで、ホストコンピューター１０の紙片発行制御部６４は、当日の日付を示す情報と、生成したアクセス用コードを示す画像とが記録された紙片であるアクセス用紙片８０（図１２）を紙片発行装置４７に発行させる制御コマンドを生成し、小切手処理装置１１に出力する（ステップＳＢ１７）。
小切手処理装置１１は、当該制御コマンドに基づいて、紙片発行装置４７、及び、その他の関連する機構、装置を制御して、当日の日付を示す情報、及び、アクセス用コードを示すアクセス用コード画像８７（図１２）が記録されたアクセス用紙片８０を発行する（ステップＳＡ８）。
【００４６】
図１２は、ステップＳＡ８において発行されたアクセス用紙片８０の一例を示す図である。
図１２に示すように、アクセス用紙片８０は、日付を示す日付情報８８と、アクセス用コード画像８７とが記録された紙片である。
上述したように、アクセス用紙片８０に記録されたアクセス用コード画像８７は、発行した小切手４に対応する描画画像８６の閲覧に係るＵＲＬにアクセスするための二次元コードである。
振出人がカメラ付の携帯電話１９を所有するとして、振出人が、当該アクセス用コード画像８７を、携帯電話１９のカメラを利用して読み取った場合、ステップＳＤ１で割り振られたＵＲＬへのアクセスが自動で実行され、認証部８３による認証が行われた上で、当該携帯電話１９のブラウザーと、Ｗｅｂサーバー１４との間で所定のプロトコルに準拠した通信が行われ、図１１に示すように、当該携帯電話１９の表示パネル８５に、日付情報画像７２ａ、氏名情報画像７３ａ、口座番号情報画像７４ａ、引落金額情報画像７５ａ、引落前口座残高情報画像７６ａ、引落後口座残高情報画像７７ａ、小切手識別情報画像７８ａ、及び、小切手表面画像７９ａを含む描画画像８６が表示される。
ここで表示パネル８５に表示された描画画像８６には、小切手情報が記録された発行済の小切手４の表面４ａの画像が含まれている。従って、当該描画画像８６は、従来の振出人控えと同様、過去に発行した小切手４を管理するために、また、現物の小切手４を紛失した場合に金融機関に対して再発行の資格があることを証明するために利用可能である。つまり、振出人控えの本来の機能を保持している。また、振出人控えとして上記のようなアクセス用紙片８０を発行するという運用が行われることにより、ドットインパクトプリンターによる騒音の問題、及び、中央集中的なプリンターを使用することによるセキュリティーの問題の双方を解決した上で、適切に振出人控えに対応する媒体を振出人に提供することが可能である。
さらに、Ｗｅｂサーバー１４へのアクセスに応じて外部の装置に表示される描画画像８６には、口座残高に係る情報が含まれている。上述したように、本実施形態では、小切手４の発行は、振出人の口座からの引き落としを伴って行われるものである。従って、小切手４の発行に伴う口座残高に係る情報、特に、口座残高がどのように変動したかを示す情報は、振出人にとって非常に有益な情報といえる。従って、振出人に対して有益な情報を提供可能である。
また、振出人は、小切手４の情報と、当該小切手４の発行に係る口座の情報とを対応付けて管理できるため、非常に便利である。
また、アクセス用紙片８０には、日付情報８８、及び、アクセス用コード画像８７のみが記録されている。このアクセス用コード画像８７は、情報性を有さない画像であるため、第三者の盗み見等により振出人の個人情報や機密情報が漏洩するということがあり得ない。また、認証部８３による認証が成功して初めて、振出人控えに対応する描画画像８６を閲覧できる構成であるため、アクセス用紙片８０を紛失した場合であっても、第三者は描画画像８６を閲覧することはできず、第三者への情報の流出を確実に防止可能である。
【００４７】
以上説明したように、本実施形態では、小切手処理部６２、記録面画像データ記憶部６３のほか、少なくとも小切手４の表面４ａの表面画像データ、及び、カード情報に関連する情報（カード情報たる口座番号の口座に関連する情報）をＷｅｂサーバー１４に閲覧可能に格納する表示情報格納部８１と、表面画像データ、及び、カード情報に関連する情報に閲覧のためのアクセスを行うためのアクセス用コードを生成するアクセス用コード生成部８２と、紙片発行装置４７に、アクセス用コードが記録されたアクセス用紙片８０を発行させる紙片発行制御部６４と、を備えている。
この構成によれば、小切手４の発行に際し、表面画像データ、及び、カード情報に関連する情報（口座に関連する情報）がＷｅｂサーバー１４の振出人控えＤＢ８０に閲覧可能に格納された上で、これら情報に閲覧に係るアクセスするためのアクセス用コードが記録されたアクセス用紙片８０が発行される。このため、振出人は、アクセス用コードに基づいて、Ｗｅｂサーバー１４にアクセスすることにより、小切手４の表面４ａの画像、及び、カード情報に関連する情報（口座に関連する情報）を、任意のタイミングで閲覧可能である。これにより、過去に発行した小切手４を管理する等の振出人控えの本来の機能を備えつつ小切手４の発行に関する有益な情報を提供可能な紙片（アクセス用紙片８０）を発行できるほか、以下のような効果を奏することができる。すなわち、振出人に渡される紙片自体には、アクセス用コードが記録される一方、個人情報や、機密情報が記録されない。これにより、第三者の盗み見等に起因した個人情報や、機密情報の漏洩を防止できる。
【００４８】
また、本実施形態では、表示情報格納部８１は、Ｗｅｂサーバー１４の振出人控えＤＢ８０に、表面画像データと併せて、振出人の口座残高に係る情報を閲覧可能に格納する。
この構成によれば、第三者の盗み見等に起因した情報の漏洩を適確に防止しつつ、アクセス用紙片８０を介して、口座残高に係る情報という非常に有益な情報を振出人に提供可能である。
【００４９】
また、本実施形態では、Ｗｅｂサーバー１４は、アクセス用紙片８０に記録されたアクセス用コードに係る画像に基づいて外部の装置からアクセスがあった場合に認証を行う認証部８３をさらに備えている。
これによれば、アクセス用紙片８０を紛失した場合であっても、当該紛失を介して個人情報や、機密情報が漏洩することを適確に防止可能である。
【００５０】
次いで、別の実施形態について説明する。
図１３は、それぞれ別の実施形態における小切手処理装置１１の機能的構成を示すブロック図であり、（Ａ）は第１実施形態に対応し、（Ｂ）は第２実施形態に対応している。
図１３（Ａ）に示すように、第１実施形態に係る磁気インク文字認識部４５、記録面画像データ記憶部６３、及び、紙片発行制御部６４の各機能ブロックを、小切手処理装置１１のデバイス側制御部３１が備えるようにしてもよい。この場合、これら機能ブロックの機能は、例えば、ファームウェアにより実現される。
また、図１３（Ｂ）に示すように、第２実施形態に係る磁気インク文字認識部４５、記録面画像データ記憶部６３、紙片発行制御部６４、表示情報格納部８１、アクセス用コード生成部８２、及び、認証部８３の各機能ブロックを、小切手処理装置１１のデバイス側制御部３１が備えるようにしてもよい。この場合、これら機能ブロックの機能は、例えば、ファームウェアにより実現される。
【００５１】
なお、上述した実施の形態は、あくまでも本発明の一態様を示すものであり、本発明の範囲内で任意に変形および応用が可能である。
例えば、上述した各実施形態では、小切手処理装置１１が備える記録装置は、インクジェット式であったが、記録装置の記録方式はこれに限らず、サーマル式等の、他の記録方式であってもよい。
また例えば、図４、図１３に示す各機能ブロックはハードウェアとソフトウェアの協働により任意に実現可能であり、特定のハードウェア構成を示唆するものではない。
また、例えば、制御部５５や、デバイス側制御部３１の機能を、ホストコンピューター１０や、小切手処理装置１１に外部接続される別の装置に持たせるようにしてもよい。
また、ホストコンピューター１０の外部の記憶媒体に記憶させたプログラムを実行することにより、図で示した各フローチャートの各ステップを実行するようにしてもよい。
【符号の説明】
【００５２】
１…小切手処理システム、４…小切手、４ａ…表面（記録面）、１０…ホストコンピューター（制御装置）、１１…小切手処理装置、１３…基幹系システム、１４…Ｗｅｂサーバー、１６…口座管理システム、１９…携帯電話（外部の装置）、２２…カードリーダー（カード読取部）、２３…搬送路、２７…搬送機構（搬送部）、２８…搬送ローラー（搬送部）、２９…従動ローラー（搬送部）、３０…搬送用モーター（搬送部）、３１…デバイス側制御部、３４…表面側記録ヘッド（記録部）、３８…表面側ＣＩＳ（光学読取部）、４７…紙片発行装置（紙片発行部）、５５…制御部、６２…小切手処理部、６３…記録面画像データ記憶部、６４…紙片発行制御部、７１…振出人控え紙片（紙片）、８０…アクセス用紙片（紙片）、８１…表示情報格納部、８２…アクセス用コード生成部、８３…認証部、８７…アクセス用コード画像。
【図１】
2013037603.tif 000003
【図２】
2013037603.tif 000004
【図３】
2013037603.tif 000005
【図４】
2013037603.tif 000006
【図５】
2013037603.tif 000007
【図６】
2013037603.tif 000008
【図７】
2013037603.tif 000009
【図８】
2013037603.tif 000010
【図９】
2013037603.tif 000011
【図１０】
2013037603.tif 000012
【図１１】
2013037603.tif 000013
【図１２】
2013037603.tif 000014
【図１３】
2013037603.tif 000015